(57)【特許請求の範囲】
【請求項１】
放射性物質が含まれる放射性廃棄物を流動媒体と共に炉内下部に供給される一次空気により流動化させながら助燃用燃料を供給して前記一次空気及び炉内上部に供給される二次空気により燃焼させる流動層燃焼炉と、
該流動層燃焼炉の上部に接続され且つ流動層燃焼炉内での燃焼により発生した排ガス中に含まれる飛灰を捕集して流動層燃焼炉の底部へ戻す飛灰捕集手段と、
該飛灰捕集手段で飛灰が捕集された排ガスに残存する飛灰を捕集する脱塵手段と、
前記流動層燃焼炉内での焼却温度を調節することにより前記放射性物質を揮発させずに流動層燃焼炉内に留まらせるか或いは前記放射性物質を揮発させて排ガスに同伴させるかを制御すると共に、前記流動層燃焼炉内での空塔速度を調節することにより前記流動層燃焼炉内に留まる主灰と前記排ガス中に含まれる飛灰との比率を制御し、運転パターンを選択的に制御する制御手段と
を備え、
前記制御手段は、前記焼却温度と選択される運転パターンでの設定焼却温度との偏差に基づき、必要となる一次空気の流量及び助燃用燃料の流量を求め、該必要となる一次空気の流量及び助燃用燃料の流量となるよう前記焼却温度を設定焼却温度に調節すると共に、選択される運転パターンでの設定空塔速度を得るために必要となる設定全体空気流量と前記一次空気の流量との偏差に基づき、必要となる二次空気の流量を求め、該必要となる二次空気の流量となるよう前記空塔速度を設定空塔速度に調節することを特徴とする放射性廃棄物の焼却処理設備。
【請求項２】
前記流動層燃焼炉内での焼却温度を検出する焼却温度検出器と、
前記流動層燃焼炉内下部に供給され前記流動媒体を流動化させる一次空気の流量を調節する一次空気流量調節弁と、
前記流動層燃焼炉内上部に供給される二次空気の流量を調節する二次空気流量調節弁と、
前記流動層燃焼炉内に供給される助燃用燃料の流量を調節する助燃用燃料流量調節弁と、
前記焼却温度検出器で検出された焼却温度と選択される運転パターンでの設定焼却温度との偏差に基づき、必要となる一次空気の流量及び助燃用燃料の流量を求め、該必要となる一次空気の流量及び助燃用燃料の流量となるよう前記一次空気流量調節弁及び助燃用燃料流量調節弁へ開度指令を出力して焼却温度を設定焼却温度に調節すると共に、選択される運転パターンでの設定空塔速度を得るために必要となる設定全体空気流量と前記一次空気の流量との偏差に基づき、必要となる二次空気の流量を求め、該必要となる二次空気の流量となるよう前記二次空気流量調節弁へ開度指令を出力して空塔速度を設定空塔速度に調節する制御装置と
から前記制御手段を構成した請求項１記載の放射性廃棄物の焼却処理設備。
【請求項３】
前記放射性物質を揮発させずに流動層燃焼炉内に留まらせるよう設定焼却温度を決定すると共に、前記主灰に対する飛灰の比率が設定比率以上となるよう設定空塔速度を決定することにより、前記主灰と飛灰を回収する第一運転パターンと、
前記放射性物質を揮発させて排ガスに同伴させるよう設定焼却温度を決定すると共に、前記主灰に対する飛灰の比率が設定比率以上となるよう設定空塔速度を決定することにより、前記主灰と飛灰を回収する第二運転パターンと、
前記放射性物質を揮発させずに流動層燃焼炉内に留まらせるよう設定焼却温度を決定すると共に、前記主灰に対する飛灰の比率が設定比率未満となるよう設定空塔速度を決定することにより、前記主灰と飛灰を回収する第三運転パターンと、
前記放射性物質を揮発させて排ガスに同伴させるよう設定焼却温度を決定すると共に、前記主灰に対する飛灰の比率が設定比率未満となるよう設定空塔速度を決定することにより、前記主灰と飛灰を回収する第四運転パターンと
のうちいずれか一つの運転パターンを選択するよう構成した請求項２記載の放射性廃棄物の焼却処理設備。
【発明の詳細な説明】
【技術分野】
【０００１】
本発明は、放射性廃棄物の焼却処理設備に関するものである。
【背景技術】
【０００２】
２０１１年３月１１日に発生した東北地方太平洋沖地震（東日本大震災）に伴う福島第一原子力発電所事故による放射能漏れにおいて、半減期がおよそ３０年と長いセシウム（Ｃｓ）等の放射性物質が土壌や地下水中に浸透しており、その処理が大きな問題となっている。
【０００３】
前記土壌や地下水中に浸透した放射性物質を除去する手段の一つとしては、植物が根から水分や養分を吸収する能力を利用するようにした、ファイトレメディエーション（phytoremediation）に注目が集まっている。
【０００４】
前記セシウム（Ｃｓ）等の放射性物質に対するファイトレメディエーションでは、ヒユ科のアマランサスや西洋カラシナ、ヒマワリ等の植物を対象となる土地に植えて生育させ、所要期間経過後に、前記植物を刈り取って乾燥させることが知られているが、該乾燥させた植物を放射性物質が含まれる放射性廃棄物として焼却設備で焼却し減容化することが提案されている。
【０００５】
尚、前記放射性廃棄物の焼却処理設備と関連する一般的技術水準を示すものとしては、例えば、特許文献１がある。
【先行技術文献】
【特許文献】
【０００６】
【特許文献１】特開２００１−２４２２９１号公報
【発明の概要】
【発明が解決しようとする課題】
【０００７】
前記放射性廃棄物の焼却処理設備としては、放射性廃棄物を減容化する上で、その方法の一つとして流動層燃焼炉を用いることが有効であるが、単に放射性廃棄物を流動層燃焼炉に投入して燃焼させるだけでは、該放射性廃棄物の灰に含まれる放射性物質濃度を制御することはできなかった。
【０００８】
又、前記焼却して減容化される放射性廃棄物の灰を処分する際には、該灰に含まれる放射性物質濃度［Ｂｑ／ｋｇ］が、例えば８０００［Ｂｑ／ｋｇ］以下であれば通常埋め立て処分し、８０００〜１０万［Ｂｑ／ｋｇ］であればコンクリートピット無しの浅土中トレンチ処分し、１０万〜１００億［Ｂｑ／ｋｇ］であればコンクリートピット有りの浅土中ピット処分するといったように、人間に与える放射線量の影響によってその処分方法が細かく制限されており、前記灰の処分を適切に行う上で、該灰に含まれる放射性物質濃度を制御できるようにすることは非常に重要となっているのが現状である。
【０００９】
本発明は、斯かる実情に鑑み、焼却して減容化される放射性廃棄物の灰に含まれる放射性物質濃度を選択的に制御し得、灰の処分を適切に行い得る放射性廃棄物の焼却処理設備を提供しようとするものである。
【課題を解決するための手段】
【００１０】
本発明は、放射性物質が含まれる放射性廃棄物を流動媒体と共に炉内下部に供給される一次空気により流動化させながら助燃用燃料を供給して前記一次空気及び炉内上部に供給される二次空気により燃焼させる流動層燃焼炉と、
該流動層燃焼炉の上部に接続され且つ流動層燃焼炉内での燃焼により発生した排ガス中に含まれる飛灰を捕集して流動層燃焼炉の底部へ戻す飛灰捕集手段と、
該飛灰捕集手段で飛灰が捕集された排ガスに残存する飛灰を捕集する脱塵手段と、
前記流動層燃焼炉内での焼却温度を調節することにより前記放射性物質を揮発させずに流動層燃焼炉内に留まらせるか或いは前記放射性物質を揮発させて排ガスに同伴させるかを制御すると共に、前記流動層燃焼炉内での空塔速度を調節することにより前記流動層燃焼炉内に留まる主灰と前記排ガス中に含まれる飛灰との比率を制御し、運転パターンを選択的に制御する制御手段と
を備え、
前記制御手段は、前記焼却温度と選択される運転パターンでの設定焼却温度との偏差に基づき、必要となる一次空気の流量及び助燃用燃料の流量を求め、該必要となる一次空気の流量及び助燃用燃料の流量となるよう前記焼却温度を設定焼却温度に調節すると共に、選択される運転パターンでの設定空塔速度を得るために必要となる設定全体空気流量と前記一次空気の流量との偏差に基づき、必要となる二次空気の流量を求め、該必要となる二次空気の流量となるよう前記空塔速度を設定空塔速度に調節することを特徴とする放射性廃棄物の焼却処理設備にかかるものである。
【００１１】
前記放射性廃棄物の焼却処理設備においては、前記流動層燃焼炉内での焼却温度を検出する焼却温度検出器と、
前記流動層燃焼炉内下部に供給され前記流動媒体を流動化させる一次空気の流量を調節する一次空気流量調節弁と、
前記流動層燃焼炉内上部に供給される二次空気の流量を調節する二次空気流量調節弁と、
前記流動層燃焼炉内に供給される助燃用燃料の流量を調節する助燃用燃料流量調節弁と、
前記焼却温度検出器で検出された焼却温度と選択される運転パターンでの設定焼却温度との偏差に基づき、必要となる一次空気の流量及び助燃用燃料の流量を求め、該必要となる一次空気の流量及び助燃用燃料の流量となるよう前記一次空気流量調節弁及び助燃用燃料流量調節弁へ開度指令を出力して焼却温度を設定焼却温度に調節すると共に、選択される運転パターンでの設定空塔速度を得るために必要となる設定全体空気流量と前記一次空気の流量との偏差に基づき、必要となる二次空気の流量を求め、該必要となる二次空気の流量となるよう前記二次空気流量調節弁へ開度指令を出力して空塔速度を設定空塔速度に調節する制御装置と
から前記制御手段を構成することができる。
【００１２】
又、前記放射性物質を揮発させずに流動層燃焼炉内に留まらせるよう設定焼却温度を決定すると共に、前記主灰に対する飛灰の比率が設定比率以上となるよう設定空塔速度を決定することにより、前記主灰と飛灰を回収する第一運転パターンと、
前記放射性物質を揮発させて排ガスに同伴させるよう設定焼却温度を決定すると共に、前記主灰に対する飛灰の比率が設定比率以上となるよう設定空塔速度を決定することにより、前記主灰と飛灰を回収する第二運転パターンと、
前記放射性物質を揮発させずに流動層燃焼炉内に留まらせるよう設定焼却温度を決定すると共に、前記主灰に対する飛灰の比率が設定比率未満となるよう設定空塔速度を決定することにより、前記主灰と飛灰を回収する第三運転パターンと、
前記放射性物質を揮発させて排ガスに同伴させるよう設定焼却温度を決定すると共に、前記主灰に対する飛灰の比率が設定比率未満となるよう設定空塔速度を決定することにより、前記主灰と飛灰を回収する第四運転パターンと
のうちいずれか一つの運転パターンを選択するよう構成することもできる。
【発明の効果】
【００１３】
本発明の放射性廃棄物の焼却処理設備によれば、焼却して減容化される放射性廃棄物の灰に含まれる放射性物質濃度を選択的に制御し得、灰の処分を適切に行い得るという優れた効果を奏し得る。
【図面の簡単な説明】
【００１４】
【図１】本発明の放射性廃棄物の焼却処理設備の実施例を示す全体概要構成図である。
【図２】本発明の放射性廃棄物の焼却処理設備の実施例における運転パターンを示す図である。
【図３】本発明の放射性廃棄物の焼却処理設備の実施例において、ファイトレメディエーションで放射性物質を吸収したヒマワリを乾燥させて焼却した試験結果を示す模式図である。
【発明を実施するための形態】
【００１５】
以下、本発明の実施の形態を添付図面を参照して説明する。
【００１６】
図１〜図３は本発明の放射性廃棄物の焼却処理設備の実施例であって、１は流動層燃焼炉であり、該流動層燃焼炉１において、放射性物質が含まれる放射性廃棄物を流動媒体２（砂や石灰石等からなるベッド材）と共に流動化させながら助燃用燃料を供給して燃焼させるようにし、前記流動層燃焼炉１の上部に、該流動層燃焼炉１内での燃焼により発生した排ガス中に含まれる飛灰を捕集して流動層燃焼炉１の底部へ戻すサイクロン等の飛灰捕集手段３を接続し、該飛灰捕集手段３で飛灰が捕集された排ガスを冷却する排ガス冷却手段４を設け、該排ガス冷却手段４で冷却された排ガスに残存する飛灰を捕集する脱塵手段５（図１の例ではバグフィルタ５ａ及びヘパフィルタ５ｂ）を設け、更に、前記流動層燃焼炉１内での焼却温度を調節することにより前記放射性物質を揮発させずに流動層燃焼炉１内に留まらせるか或いは前記放射性物質を揮発させて排ガスに同伴させるかを制御すると共に、前記流動層燃焼炉１内での空塔速度を調節することにより前記流動層燃焼炉１内に留まる主灰と前記排ガス中に含まれる飛灰との比率を制御し、運転パターンを選択的に制御する制御手段６を備えている。
【００１７】
尚、前記脱塵手段５で飛灰が捕集された清浄ガスは、図示していない煙突から大気へ放出されるようになっている。
【００１８】
本実施例の場合、前記制御手段６は、
前記前記流動層燃焼炉１内での焼却温度を検出する焼却温度検出器７と、
前記流動層燃焼炉１内下部にブロワ８の作動により供給され前記流動媒体２を流動化させる一次空気の流量を調節する一次空気流量調節弁９と、
前記流動層燃焼炉１内上部にブロワ１０の作動により供給される二次空気の流量を調節する二次空気流量調節弁１１と、
前記流動層燃焼炉１内にブロワ１２の作動により供給される助燃用燃料の流量を調節する助燃用燃料流量調節弁１３と、
前記焼却温度検出器７で検出された焼却温度と選択される運転パターンでの設定焼却温度との偏差に基づき、必要となる一次空気の流量及び助燃用燃料の流量を求め、該必要となる一次空気の流量及び助燃用燃料の流量となるよう前記一次空気流量調節弁９及び助燃用燃料流量調節弁１３へ開度指令９ａ，１３ａを出力して焼却温度を設定焼却温度に調節すると共に、選択される運転パターンでの設定空塔速度を得るために必要となる設定全体空気流量と前記一次空気の流量との偏差に基づき、必要となる二次空気の流量を求め、該必要となる二次空気の流量となるよう前記二次空気流量調節弁１１へ開度指令１１ａを出力して空塔速度を設定空塔速度に調節する制御装置１４と
から構成してある。
【００１９】
尚、前記一次空気流量調節弁９の出側には、一次空気の流量を検出して制御装置１４へ入力する一次空気流量検出器１５を設け、前記二次空気流量調節弁１１の出側には、二次空気の流量を検出して制御装置１４へ入力する二次空気流量検出器１６を設け、前記助燃用燃料流量調節弁１３の出側には、助燃用燃料の流量を検出して制御装置１４へ入力する助燃用燃料流量検出器１７を設け、各流量がそれぞれ正しく制御されているかをフィードバックして確認できるようにしてある。
【００２０】
又、本実施例の場合、図２に示す如く、
前記放射性物質を揮発させずに流動層燃焼炉１内に留まらせるよう設定焼却温度を決定すると共に、前記主灰に対する飛灰の比率が設定比率以上となるよう設定空塔速度を決定することにより、前記主灰と飛灰を回収する第一運転パターンと、
前記放射性物質を揮発させて排ガスに同伴させるよう設定焼却温度を決定すると共に、前記主灰に対する飛灰の比率が設定比率以上となるよう設定空塔速度を決定することにより、前記主灰と飛灰を回収する第二運転パターンと、
前記放射性物質を揮発させずに流動層燃焼炉１内に留まらせるよう設定焼却温度を決定すると共に、前記主灰に対する飛灰の比率が設定比率未満となるよう設定空塔速度を決定することにより、前記主灰と飛灰を回収する第三運転パターンと、
前記放射性物質を揮発させて排ガスに同伴させるよう設定焼却温度を決定すると共に、前記主灰に対する飛灰の比率が設定比率未満となるよう設定空塔速度を決定することにより、前記主灰と飛灰を回収する第四運転パターンと
のうちいずれか一つの運転パターンを選択するよう構成してある。尚、図２に示す例では、前記第一運転パターン及び第三運転パターンに比べ第二運転パターン及び第四運転パターンの設定焼却温度は高く、又、前記第三運転パターン及び第四運転パターンに比べ第一運転パターン及び第二運転パターンの設定空塔速度は高くなる。
【００２１】
次に、上記実施例の作用を説明する。
【００２２】
ブロワ８の作動により圧送される一次空気が一次空気流量調節弁９を介して流動層燃焼炉１の底部へ供給されると共に、ブロワ１０の作動により圧送させる二次空気が二次空気流量調節弁１１を介して流動層燃焼炉１の上部へ供給され、更に、ブロワ１２の作動により助燃用燃料が助燃用燃料流量調節弁１３を介して流動層燃焼炉１の底部へ供給されており、この状態で、流動層燃焼炉１の流動媒体２上に放射性廃棄物を投入すると、該放射性廃棄物が一次空気により流動媒体２と共に流動化しながら燃焼する。
【００２３】
前記流動層燃焼炉１内での放射性廃棄物の燃焼により発生した排ガスは、飛灰と一緒に飛灰捕集手段３へ導入され、該飛灰捕集手段３において飛灰が捕集され、該飛灰捕集手段３で捕集された飛灰は、飛灰捕集手段３から前記流動層燃焼炉１の底部に戻され、循環される。
【００２４】
前記飛灰捕集手段３で飛灰が捕集された排ガスは、排ガス冷却手段４で冷却され、該排ガス冷却手段４で冷却された排ガスに残存する飛灰は、脱塵手段５（図１の例ではバグフィルタ５ａ及びヘパフィルタ５ｂ）で捕集され、該脱塵手段５で飛灰が捕集された清浄ガスは、図示していない煙突から大気へ放出される。
【００２５】
ここで、前記流動層燃焼炉１内での焼却温度は焼却温度検出器７によって検出されて制御手段６を構成する制御装置１４へ入力されており、該制御装置１４において、焼却温度検出器７で検出された焼却温度と選択される運転パターンでの設定焼却温度との偏差に基づき、必要となる一次空気の流量及び助燃用燃料の流量が求められ、該必要となる一次空気の流量及び助燃用燃料の流量となるよう前記一次空気流量調節弁９及び助燃用燃料流量調節弁１３へ開度指令９ａ，１３ａが出力され、焼却温度が設定焼却温度に調節されると共に、前記制御装置１４において、選択される運転パターンでの設定空塔速度を得るために必要となる設定全体空気流量と前記一次空気の流量との偏差に基づき、必要となる二次空気の流量が求められ、該必要となる二次空気の流量となるよう前記二次空気流量調節弁１１へ開度指令１１ａが出力され、空塔速度が設定空塔速度に調節される。
【００２６】
尚、運転中、前記一次空気流量調節弁９の出側に設けられた一次空気流量検出器１５により一次空気の流量が検出されて制御装置１４へ入力され、前記二次空気流量調節弁１１の出側に設けられた二次空気流量検出器１６により二次空気の流量が検出されて制御装置１４へ入力され、前記助燃用燃料流量調節弁１３の出側に設けられた助燃用燃料流量検出器１７により助燃用燃料の流量が検出されて制御装置１４へ入力されており、各流量がそれぞれ正しく制御されているかがフィードバックされて確認される。
【００２７】
そして、前記運転パターンとして、例えば、第一運転パターンを選択した場合、前記放射性物質を揮発させずに流動層燃焼炉１内に留まらせるよう設定焼却温度が決定されると共に、前記主灰に対する飛灰の比率が設定比率以上となるよう設定空塔速度が決定され、これにより、前記揮発せずに流動層燃焼炉１内に留まっている放射性物質が流動層燃焼炉１の底部から主灰と一緒に回収されつつ、前記飛灰が最終的に脱塵手段５で捕集され回収される。
【００２８】
又、前記運転パターンとして、例えば、第二運転パターンを選択した場合、前記放射性物質を揮発させて排ガスに同伴させるよう設定焼却温度が決定されると共に、前記主灰に対する飛灰の比率が設定比率以上となるよう設定空塔速度が決定され、これにより、前記主灰が流動層燃焼炉１の底部から回収されつつ、前記揮発して排ガスに同伴される放射性物質を含む飛灰が最終的に脱塵手段５で捕集され回収される。
【００２９】
又、前記運転パターンとして、例えば、第三運転パターンを選択した場合、前記放射性物質を揮発させずに流動層燃焼炉１内に留まらせるよう設定焼却温度が決定されると共に、前記主灰に対する飛灰の比率が設定比率未満となるよう設定空塔速度が決定され、これにより、前記揮発せずに流動層燃焼炉１内に留まっている放射性物質が流動層燃焼炉１の底部から主灰と一緒に回収されつつ、前記飛灰が最終的に脱塵手段５で捕集され回収される。
【００３０】
更に又、前記運転パターンとして、例えば、第四運転パターンを選択した場合、前記放射性物質を揮発させて排ガスに同伴させるよう設定焼却温度が決定されると共に、前記主灰に対する飛灰の比率が設定比率未満となるよう設定空塔速度が決定され、これにより、前記主灰が流動層燃焼炉１の底部から回収されつつ、前記揮発して排ガスに同伴される放射性物質を含む飛灰が最終的に脱塵手段５で捕集され回収される。
【００３１】
因みに、セシウム（Ｃｓ）の沸点は６７１［℃］であり、該セシウムはこの温度以上で揮発するが、前記放射性廃棄物には純粋なセシウムだけでなく、酸化セシウム（ＣｓＯ2やＣｓ2Ｏ）等も存在するため、前記設定焼却温度は、およそ６００〜７００［℃］の範囲で設定することができる。尚、前記設定焼却温度の下限値は、未燃分が排出されない温度（例えば、５００［℃］程度）とし、前記設定焼却温度の上限値は、灰が溶けない温度（例えば、１２００［℃］程度）とすれば良い。
【００３２】
又、本発明者等が実施した放射性廃棄物の焼却試験（ファイトレメディエーションで放射性物質を吸収したヒマワリを乾燥させて焼却した試験）において、前記第四運転パターンを選択し、流動層燃焼炉１における流動状態の強さを表すＵ0／Ｕmfの値を、
Ｕ0／Ｕmf＝３
但し、Ｕ0：空塔速度［ｍ／ｓｅｃ］（Ｕ0＝０．０２［ｍ／ｓｅｃ］)
Ｕmf：最小流動化速度［ｍ／ｓｅｃ］
とした場合、図３に示す如く、灰の２０［％］は飛灰、残りの８０［％］は主灰として回収されるという結果が得られており、こうしたデータに基づき、灰の処分場に関する問題等を総合的に考慮した上で、前記主灰に対する飛灰の設定比率を適宜決定し、該主灰に対する飛灰の比率を設定比率以上に高めるには設定空塔速度を上げる一方、前記主灰に対する飛灰の比率を設定比率未満に低くするには設定空塔速度を下げるようにすれば良い。尚、図３に示す例では、放射性物質が浸透した土壌に植物としてヒマワリを植えて生育させ、所要期間経過後に、前記植物を刈り取り、その際の乾燥前の植物の相対重量を基準となる１．０としたとき、乾燥植物で相対重量が０．１１即ち約１／９となり、それを焼却すると、灰の相対重量がおよそ０．０１６に減少し、飛灰の相対重量は０．００３２（＝０．０１６×２０［％］）となり、主灰の相対重量は０．０１２８（＝０．０１６×８０［％］）となることが確認されている。又、前記植物における放射性物質濃度をＸ［Ｂｑ／ｋｇ］とすると、前記乾燥植物の相対重量が０．１１となることから１．０／０．１１＝９．０９０≒９で該乾燥植物の放射性物質濃度はおよそ９Ｘ［Ｂｑ／ｋｇ］となり、前記灰の相対重量が０．０１６となることから１．０／０．０１６＝６２．５≒６３で該灰の放射性物質濃度はおよそ６３Ｘ［Ｂｑ／ｋｇ］となる。更に、飛灰には放射性物質が全体の９９［％］移行し、主灰には放射性物質が全体の１［％］移行すると仮定すると、前記飛灰の相対重量が０．００３２となることから１．０／０．００３２×０．９９＝３０９．３７５≒３０９で該飛灰の放射性物質濃度はおよそ３０９Ｘ［Ｂｑ／ｋｇ］となり、前記主灰の相対重量が０．０１２８となることから１．０／０．０１２８×０．０１＝０．７８１２５≒０．７８で該主灰の放射性物質濃度はおよそ０．７８Ｘ［Ｂｑ／ｋｇ］となり、前記放射性物質濃度が高くなる飛灰は例えば浅土中ピット処分し、飛灰に比べ放射性物質濃度が低くなる主灰は例えば通常埋め立て処分すれば良い。
【００３３】
こうして、焼却して減容化される放射性廃棄物の灰に含まれる放射性物質濃度を選択的に制御し得、灰の処分を適切に行い得る。
【００３４】
尚、本発明の放射性廃棄物の焼却処理設備は、上述の実施例にのみ限定されるものではなく、植物に限らず、放射性物質が付着した服や手袋等の消耗品の焼却にも適用可能なこと等、その他、本発明の要旨を逸脱しない範囲内において種々変更を加え得ることは勿論である。
【符号の説明】
【００３５】
１    流動層燃焼炉
２    流動媒体
３    飛灰捕集手段
５    脱塵手段
６    制御手段
７    焼却温度検出器
９    一次空気流量調節弁
９ａ  開度指令
１１    二次空気流量調節弁
１１ａ  開度指令
１３    助燃用燃料流量調節弁
１３ａ  開度指令
１４    制御装置
【図１】
0005746579.tif 000002
【図２】
0005746579.tif 000003
【図３】
0005746579.tif 000004